(57)【要約】【課題】螺着部材を容易に締め付けることができるとともに、制御部材とラチェット輪との連動により、ラチェット輪を回転させることができる開口を有するラチェットレンチを提供する。【解決手段】  開口を有するラチェットレンチは、スパナ１０、制御部材２０、ラチェット輪３０及び回転蓋４０を備える。スパナ１０は、作動孔１２及び収納開口部１３が設けられたスパナ頭部１１を有する。作動孔１２の内壁には、収納室１４が凹設され、収納室１４に連通した位置決め環溝１５が開設されている。位置決め環溝１５内には、位置決め部材１６が配置されている。制御部材２０は、弾性部材２１により支持されるように収納室１４に収納され、ラチェット面２２と、平滑面２３と、位置決め部材１６に対応するように設けられた押圧滑部２４とを有する。【選択図】図２
0003162895.tif 000002
【実用新案登録請求の範囲】
【請求項１】
スパナ、制御部材、ラチェット輪及び回転蓋を備えた開口を有するラチェットレンチであって、
前記スパナは、作動孔及び収納開口部が設けられたスパナ頭部を有し、前記作動孔の内壁には、収納室が凹設され、前記収納室に連通した位置決め環溝が開設され、前記位置決め環溝内には、位置決め部材が配置され、
前記制御部材は、弾性部材により支持されるように前記収納室に収納され、ラチェット面と、平滑面と、前記位置決め部材に対応するように設けられた押圧滑り部と、を有し、
前記ラチェット輪は、一方の側部にラチェット孔が設けられ、他方の端部にラチェット開口が設けられ、前記制御部材の前記ラチェット面と噛み合うラチェット歯部が外縁に環設され、
前記回転蓋は、前記ラチェット輪が取り付けられる反対側から前記スパナ頭部の前記作動孔に取り付けられ、前記作動孔に対応するように形成された中空開口を有することを特徴とする開口を有するラチェットレンチ。
【請求項２】
前記作動孔は、前記位置決め環溝の２つの外端に環設された第１の結合溝及び第２の結合溝を有し、
前記ラチェット輪は、前記ラチェット歯部に隣接した箇所に、前記第１の結合溝に対応するように設けられた第１の位置決め溝を有し、前記第１の結合溝と前記第１の位置決め溝との間にはＣ字状リングが挟設され、
前記回転蓋は、前記第２の結合溝に対応するように開設された第２の位置決め溝を有し、
前記第２の結合溝と前記第２の位置決め溝との間にＣ字状リングが挟設されていることを特徴とする請求項１記載の開口を有するラチェットレンチ。
【請求項３】
前記回転蓋は、大きな端部に凸状リングが設けられ、小さな端部に接続管が延設され、
前記接続管は、前記ラチェット輪の前記ラチェット歯部の末端部に嵌合され、
前記接続管の内縁壁には、連動ブロックが設けられ、
前記連動ブロックは、前記ラチェット歯部の末端部に設けられた接続切欠部と噛み合わされることを特徴とする請求項１記載の開口を有するラチェットレンチ。
【請求項４】
前記作動孔の内壁には、第２の制御部材が配置される第２の収納室が開設され、
前記第２の制御部材と前記第２の収納室との間には、第２の弾性部材が挟設されていることを特徴とする請求項１記載の開口を有するラチェットレンチ。
【請求項５】
前記作動孔は、前記収納室の両端にそれぞれ設けられた前記位置決め環溝を有し、
前記位置決め環溝の中には、前記位置決め部材が配置され、
前記制御部材は、前記ラチェット面と、前記位置決め部材に対応するように設けられた２つの前記押圧滑り部と、を有することを特徴とする請求項１記載の開口を有するラチェットレンチ。
【考案の詳細な説明】
【技術分野】
【０００１】
本考案は、使用する際の自由度が高いハンドツールに関するものであり、さらに詳しくは、開口を有するラチェットレンチに関するものである。
【背景技術】
【０００２】
一般に、開口スパナは、障害物の間に通して簡便に作業を行うことができるが、螺着部材から一旦離してから再び締め付ける動作を繰り返さなければならず、作業が煩雑であった。これに鑑み、１方向のみに力を加えるラチェットレンチが開発されている。このラチェットレンチを利用した場合、ユーザは、螺着部材からラチェットレンチを離さずに連続的に締め付け、螺着部材に対して同一方向の作用力を加えることができる。そのため、利便性が大幅に向上する。
しかし、冷房用管線等を取り付ける作業では、螺着部材が管線の末端部に位置することがあり、この場合、管線を取り外さなければ螺着作業を行うことが困難であるため、依然として開口スパナを用いる必要があった。
【考案の開示】
【考案が解決しようとする課題】
【０００３】
本考案の主な目的は、スパナ頭部の端部に設けた収納開口部と、ラチェット輪に開設したラチェット開口とを利用することにより、螺着部材を容易に締め付けることができるとともに、制御部材とラチェット輪との連動により、ラチェット輪を回転させることができる開口を有するラチェットレンチを提供することにある。
【課題を解決するための手段】
【０００４】
上記課題を解決するために、本考案の第１の形態によれば、スパナ、制御部材、ラチェット輪及び回転蓋を備える開口を有するラチェットレンチであって、前記スパナは、作動孔及び収納開口部が設けられたスパナ頭部を有し、前記作動孔の内壁には、収納室が凹設され、前記収納室に連通した位置決め環溝が開設され、前記位置決め環溝内には、位置決め部材が配置され、前記制御部材は、弾性部材により支持されるように前記収納室に収納され、ラチェット面と、平滑面と、前記位置決め部材に対応するように設けられた押圧滑部と、を有し、前記ラチェット輪は、一方の側部にラチェット孔が設けられ、他方の端部にラチェット開口が設けられ、前記制御部材の前記ラチェット面と噛み合うラチェット歯部が外縁に環設され、前記回転蓋は、前記ラチェット輪が取り付けられる反対側から前記スパナ頭部の前記作動孔に取り付けられ、前記作動孔に対応するように形成された中空開口を有することを特徴とする開口を有するラチェットレンチが提供される。
【０００５】
前記第１の形態において、前記作動孔は、前記位置決め環溝の２つの外端に環設された第１の結合溝及び第２の結合溝を有し、前記ラチェット輪は、前記ラチェット歯部に隣接した箇所に、前記第１の結合溝に対応するように設けられた第１の位置決め溝を有し、前記第１の結合溝と前記第１の位置決め溝との間にはＣ字状リングが挟設され、前記回転蓋は、前記第２の結合溝に対応するように開設された第２の位置決め溝を有し、前記第２の結合溝と前記第２の位置決め溝との間にＣ字状リングが挟設されていることが好ましい。
【０００６】
前記第１の形態において、前記回転蓋は、大きな端部に凸状リングが設けられ、小さな端部に接続管が延設され、前記接続管は、前記ラチェット輪の前記ラチェット歯部の末端部に嵌合され、前記接続管の内縁壁には、連動ブロックが設けられ、前記連動ブロックは、前記ラチェット歯部の末端部に設けられた接続切欠部と噛み合わされることが好ましい。
【０００７】
前記第１の形態において、前記作動孔の内壁には、第２の制御部材が配置される第２の収納室が開設され、前記第２の制御部材と前記第２の収納室との間には、第２の弾性部材が挟設されていることが好ましい。
【０００８】
前記第１の形態において、前記作動孔は、前記収納室の両端にそれぞれ設けられた前記位置決め環溝を有し、前記位置決め環溝の中には、前記位置決め部材が配置され、前記制御部材は、前記ラチェット面と、前記位置決め部材に対応するように設けられた２つの前記押圧滑部と、を有することが好ましい。
【考案の効果】
【０００９】
本考案の開口を有するラチェットレンチは、螺着部材を容易に締め付けることができるとともに、制御部材とラチェット輪との連動により、ラチェット輪を回転させることができる。そのため、本考案によれば、使用する際の自由度が高いラチェットレンチを提供することができる。
【図面の簡単な説明】
【００１０】
【図１】本考案の一実施形態による開口を有するラチェットレンチを示す斜視図である。
【図２】本考案の一実施形態による開口を有するラチェットレンチを示す分解斜視図である。
【図３】本考案の一実施形態による開口を有するラチェットレンチを示す断面図である。
【図４】図３の線Ｂ−Ｂ’に沿った断面図である。
【図５】本考案の一実施形態による開口を有するラチェットレンチを使用するときの状態を示す斜視図である。
【図６】本考案の一実施形態による開口を有するラチェットレンチを時計回りで回転させるときの状態を示す模式図である。
【図７】本考案の一実施形態による開口を有するラチェットレンチを逆時計回りで回転させるときの状態を示す模式図である。
【図８】本考案の他の実施形態による開口を有するラチェットレンチを使用するときの状態を示す断面図である。
【考案を実施するための最良の形態】
【００１１】
以下、本考案の実施形態について図面に基づいて説明する。なお、これによって本考案が限定されるものではない。
【００１２】
図１及び図２を参照する。図１及び図２に示すように、開口を有するラチェットレンチは、スパナ１０、制御部材２０、ラチェット輪３０及び回転蓋４０を含む。
スパナ１０は、作動孔１２及び収納開口部１３が設けられたスパナ頭部１１を有する。作動孔１２の内壁には収納室１４が凹設されている。作動孔１２の内壁には、収納室１４と連通する２つの位置決め環溝１５が開設されている。位置決め環溝１５内には、Ｃ形状リングの位置決め部材１６が配置されている。作動孔１２の位置決め環溝１５には、第１の結合溝１７及び第２の結合溝１８が環設されている。
【００１３】
制御部材２０は、弾性部材２１により支持されるように収納室１４に配置され、ラチェット面２２と、平滑面２３と、位置決め部材１６に対応するように設けられた２つの押圧滑部２４と、を有する。弾性部材２１は、コイル状のバネ、板状のバネ又は弾性ゴムでもよい。また、収納室１４の底部には、頂孔１４１が開設され、制御部材２０には、収納室１４の端部に向かうように押孔２５が開設されている。これにより、頂孔１４１及び押孔２５の箇所に弾性部材２１が設けられ、位置が拘束される。
【００１４】
ラチェット輪３０は、作動孔１２に対応するように形成されたラチェット孔３１を一方の端部に有し、ストップリング３２を他方の端部に有する。ストップリング３２の外縁には、粗面３２１が設けられている。ラチェット孔３１の端部には、ラチェット開口３３が設けられている。ラチェット輪３０の外縁には、制御部材２０のラチェット面２２と噛み合わされるラチェット歯部３４が環設されている。このラチェット輪３０は、第１の結合溝１７に対応するように、ラチェット歯部３４に隣接した箇所に第１の位置決め溝３５が開設され、第１の結合溝１７と第１の位置決め溝３５との間にＣ字状リング３６が挟設され、回転可能な状態でスパナ頭部１１に位置が拘束されるようにラチェット輪３０が配置されている。
【００１５】
回転蓋４０は、ラチェット輪３０の位置と反対側から、作動孔１２の他方の端部にスパナ頭部１１を取り付け、作動孔１２に対応するように設けられた中空開口４１を有する。回転蓋４０は、第２の結合溝１８に対応するように開設された第２の位置決め溝４２を有し、第２の結合溝１８と第２の位置決め溝４２との間にＣ字状リング４３が挟設されている。これにより、回転蓋４０は、回転可能な状態でスパナ頭部１１に位置が拘束されるように配置される。回転蓋４０は、周縁に粗縁４４１が設けられた凸状リング４４が一方の端部に形成され、接続管４５が他方の端部に延設されている。接続管４５は、ラチェット輪３０のラチェット歯部３４の末端部に嵌合され、内縁壁に連動ブロック４６が設けられている。この連動ブロック４６は、ラチェット歯部３４の末端部に形成された接続切欠部３４１と噛み合わされることにより、回転蓋４０とラチェット輪３０とが連動する。
【００１６】
図２〜図４を参照する。図２〜図４に示すように、本実施形態の制御部材２０は、スパナ１０の作動孔１２から入れ、収納室１４の中に収納する。収納室１４の中には、制御部材２０を外側へ押し出すために用いる弾性部材２１が挟設されている。作動孔１２の内壁に設けられた位置決め環溝１５は、それぞれ位置決め部材１６を有する。位置決め部材１６は、位置決め環溝１５に配置され、反対方向に向かって外側へ開くように当接されている。位置決め部材１６は、制御部材２０の２つの押圧滑部２４にそれぞれ当接されることにより、制御部材２０が収納室１４内に位置決めされ、弾性部材２１の弾力により制御部材２０がイジェクトする。ラチェット輪３０の第１の位置決め溝３５には、圧縮された状態のＣ字状リング３６が配置されている。ラチェット歯部３４の端部から第１の結合溝１７の方向に向かって作動孔１２中に配置され、Ｃ字状リング３６が外側に広がるように第１の結合溝１７の中に嵌合されると、ラチェット輪３０とスパナ１０とが位置決めされ、ラチェット輪３０だけが回転できるようになる。
【００１７】
また、回転蓋４０の第２の位置決め溝４２中には、圧縮された状態でＣ字状リング４３が配置され、接続管４５の端部が作動孔１２に位置し、第２の結合溝１８の中にＣ字状リング４３を外側へ広げるように嵌合させると、回転蓋４０とスパナ１０とが位置決めされる。これにより、回転蓋４０だけが回転できるようになり、ラチェット歯部３４の末端部に接続管４５を嵌合させる。
【００１８】
また、ラチェット輪３０の接続切欠部３４１と、接続管４５の連動ブロック４６とが噛み合わされているため、回転蓋４０とラチェット輪３０とが連動する。
【００１９】
図５を参照する。図５に示すように、螺着部材Ａが末端部に螺着された管線Ｂを、スパナ頭部１１のラチェット開口３３に入れると、管線Ｂを先に取り外さなくとも、スパナ１０により螺着部材Ａを締め付けたり緩めたりすることができる。以下、本実施形態の使用方式を詳細に説明する。図２、図６及び図７を参照する。図２、図６及び図７に示すように、スパナ１０を時計回りで回転させると、ラチェット輪３０のラチェット孔３１は、螺着部材Ａに当たって反対方向の力がスパナ１０に作用する。制御部材２０のラチェット面２２は、ラチェット輪３０のラチェット歯部３４により押圧され、ラチェット面２２の端部に向かって制御部材２０が変位する。この際、ラチェット輪３０及びスパナ１０は、制御部材２０により押圧されて固定され、ラチェット輪３０により螺着部材Ａが締め付けられる。
【００２０】
スパナ１０が逆時計回りで回転される場合、ラチェット輪３０が螺着部材Ａの抵抗力によりスパナ１０に反対方向の力が作用し、平滑面２３の端部に向かって制御部材２０が変位することにより、平滑面２３によりラチェット輪３０を連動させることができず、ラチェット面２２とラチェット歯部３４とが外れると、ラチェット３０はスパナ１０と同期で回転しなくなる。これにより、スパナ１０を締め付けた後に復位し、ラチェットレンチの機能を得ることができる。
【００２１】
また、使用した後にスパナ１０を取り外す際は、回転蓋４０の凸状リング４４又はラチェット輪３０のストップリング３２を回転させ、ラチェット輪３０のラチェット開口３３を直接に制御し、収納開口部１３と同じ位置になるまで回転させると、管線Ｂからスパナ１０を取り外すことができる。即ち、収納開口部１３、ラチェット開口３３及び中空開口４１は、口径サイズが同じであり、使用前又は使用後でも同じ方向を向いて重なっている。
【００２２】
しかし、使用する際は、制御部材２０の押圧滑部２４に、位置決め部材１６が位置を拘束するように設けられているため、制御部材２０は収納室１４からイジェクトされない。そのため、本考案の開口を有するラチェットレンチは、安定的に使用することができる上、耐久性が高い。
【００２３】
図８を参照する。図８に示すように、本考案の他の実施形態では、収納室１４の中に制御部材２０が配置されている。作動孔１２の内壁には、第２の制御部材２００が配置された第２の収納室１４０が開設されている。本実施形態の開口を有するラチェットレンチは、第２の制御部材２００と第２の収納室１４０との間に、第２の弾性部材２１０が挟設されている上、ラチェット輪３０が多数の噛み合せ点を有するため、使用する際のトルクが高い。
【００２４】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２５】
Ａ      螺着部材
Ｂ      管線
１０    スパナ
１１    スパナ頭部
１２    作動孔
１３    収納開口部
１４    収納室
１５    位置決め環溝
１６    位置決め部材
１７    第１の結合溝
１８    第２の結合溝
２０    制御部材
２１    弾性部材
２２    ラチェット面
２３    平滑面
２４    押圧滑部
２５    押孔
３０    ラチェット輪
３１    ラチェット孔
３２    ストップリング
３３    ラチェット開口
３４    ラチェット歯部
３５    第１の位置決め溝
３６    Ｃ字状リング
４０    回転蓋
４１    中空開口
４２    第２の位置決め溝
４３    Ｃ字状リング
４４    凸状リング
４５    接続管
４６    連動ブロック
１４０  第２の収納室
１４１  頂孔
２００  第２の制御部材
２１０  第２の弾性部材
３２１  粗面
３４１  接続切欠部
４４１  粗縁
【図１】
0003162895.tif 000003
【図２】
0003162895.tif 000004
【図３】
0003162895.tif 000005
【図４】
0003162895.tif 000006
【図５】
0003162895.tif 000007
【図６】
0003162895.tif 000008
【図７】
0003162895.tif 000009
【図８】
0003162895.tif 000010